(57)【要約】【課題】大画面薄型表示装置の普及により人数の多い打合せにおいても、表示装置の同様の使い方が考えられるようになってきたことに鑑み、大画面薄型の表示装置を平置きにして、多人数で視聴を行う場合に好適な表示方法を提供する。【解決手段】入力画像を２画面化するともに、表示装置の水平及び垂直以外の方向に対面になるように画面配置を行うことを特徴とする。又、斜めに表示される２つの画面を互いにずらして配置する。本発明によれば、大画面薄型表示装置の普及により人数の多い打合せにおいても、表示装置の同様の使い方が考えられるようになってきたことに鑑み、大画面薄型の表示装置を平置きにして、多人数で視聴を行う場合に好適な表示方法を提供する【選択図】図１
2006267647.tif 000002
【特許請求の範囲】
【請求項１】
入力画像を２画面化するともに、表示装置の水平及び垂直以外の方向に対面になるように、画面配置を行うことを特徴とする表示方法。
【請求項２】
前記斜めに表示される２つの画面を互いにずらして配置することを特徴とする請求項１記載の表示方法。
【発明の詳細な説明】
【技術分野】
【０００１】
本発明は、画像表示方法に関し、特に、テレビジョン信号やコンピュータから出力される画像データを表示装置に表示するための画像表示方法に適用して好適なものである。
【背景技術】
【０００２】
特許文献１には、単一の表示装置を用いて、対面に位置する人が、表示部に表示された表示内容を対面する２方向から同時に読み取ることができるポータブルコンピュータが記載されている。
【０００３】
【特許文献１】特開平５−１９７５０７号公報（図１３及び図１４）
【発明の開示】
【発明が解決しようとする課題】
【０００４】
特許文献１に記載されているポータブルコンピュータは、１対１の対面、若しくは少人数での打合せに適したものであった。
【０００５】
しかし、大画面薄型表示装置の普及により人数の多い打合せにおいても、表示装置の同様の使い方が考えられるようになってきた。
【０００６】
本発明は、大画面薄型の表示装置を平置きにして、多人数で視聴を行う場合に好適な表示方法を提供することを目的とする。
【課題を解決するための手段】
【０００７】
上記目的を達成するため、本発明は、入力画像を２画面化するともに、表示装置の水平及び垂直以外の方向に対面になるように画面配置を行うことを特徴とする。
【発明の効果】
【０００８】
本発明によれば、入力画像を２画面化するともに、表示装置の水平及び垂直以外の方向に対面になるように画面配置を行うようにしたため、大画面薄型の表示装置を平置きにして、多人数で視聴を行う場合に好適な表示方法を提供することができる。
【発明を実施するための最良の形態】
【０００９】
以下、本発明の実施の形態について説明する。
【００１０】
本発明の表示方法は、１つの表示装置内に複数の表示画面を表示する方法に関するものであり、特に表示装置を平置きにして複数人で視聴するという形態は、より多くの視聴者の視認性を高めるという点から本発明が適用される好ましい形態である。
【００１１】
本発明の実施の形態について、図１を用いて具体的に説明する。
【００１２】
図１は表示装置の構成例を示した図である。
【００１３】
図１において、１０１は解像度変換装置、１０２はフレームメモリ、１０３は斜め変換装置、１０４は表示装置である。
【００１４】
先ず、解像度変換装置１０１に画像データが入力されて、表示に適した画像サイズに解像度変換が行われる。ここで、入力される画像データは、マイクロコンピュータによって生成された画像データ、若しくはテレビジョン放送によって配信された画像データ等を表している。
【００１５】
解像度変換された画像データは、フレームメモリ１０２に格納される。フレームメモリ１０２への画像データ格納時に画面の２画面化も行う。
【００１６】
斜め変換装置１０３は、フレームメモリ１０２に格納された画像データを順次読み出して画像の回転を行う。回転後の座標をＸ，Ｙ、回転前の座標をｘ，ｙ、回転角度をθとすると、座標の変換式は下式で表せる。
【００１７】
Ｘ＝ｘ＊ｃｏｓθ＋ｙ＊ｓｉｎθ
Ｙ＝−ｘ＊ｓｉｎθ＋ｙ＊ｃｏｓθ      …（式１）
ここで、回転後の座標Ｘ，Ｙは表示装置１０４のマトリクスに相当するから、（式１）を逆変換した下式を用いてフレームメモリ１０２から読み出すデータのアドレスを決定する。
【００１８】
ｘ＝Ｘ＊ｃｏｓθ−Ｙ＊ｓｉｎθ
ｙ＝Ｘ＊ｓｉｎθ＋Ｙ＊ｃｏｓθ        …（式２）
本実施の形態では、フレームメモリ１０２からの読み出し時にアドレス変換を行う例を示したが、フレームメモリ１０２への書き込み時にアドレス変換を行うようにしても良い。
【００１９】
このように斜め方向に回転変換された画像データは、表示装置１０４によって画像表示される。
【００２０】
図２は画像データの変化の流れを説明した図である。
【００２１】
（ａ）は４：３のマトリクス比を持つ入力画像データ、（ｂ）は解像度変換と２画面化が行われてフレームメモリ１０２に格納される画像データ、（ｃ）は斜め変換が行われた後に表示される画像データを表している。
【００２２】
（ｂ）では、２つの画面が対面表示となるようにアドレス変換が行われて２画面化が行われる。
【００２３】
（ｃ）の太線は１６：９のアスペクト比を持つ表示装置１０４の表示枠を表している。又、グレーで塗り潰されている部分は表示装置１０４への表示の際に削除される部分を表している。
【００２４】
図２（ｃ）に示すように、（ｂ）の画像を斜めに表示しようとすると、表示されない部分が大きくなってしまう。一般的に画面の中央部に最も重要な情報が表示されると仮定すると、表示されない部分が画像の中心部に近いと、それだけ重要な情報が表示されない可能性も高くなってしまう。
【００２５】
これを回避するためには、画像を縮小する等して表示枠に収めるようにする方法が考えられる。しかし、画像を縮小すると表示が小さくなり見難くなってしまうばかりか、表示装置のブランク部が多くなってしまい、表示装置の有効活用ができなくなってしまう。
【００２６】
これを改善したものを図３に示す。
【００２７】
図３は画像データの変化の流れを説明した図である。
【００２８】
（ａ）は４：３のマトリクス比を持つ入力画像データ、（ｂ）は解像度変換と２画面化が行われてフレームメモリ１０２に格納される画像データ、（ｃ）は斜め変換が行われた後に表示される画像データを表している。
【００２９】
（ｂ）では、２つの画面が対面表示となるようにアドレス変換が行われて、２画面化が行われる。このとき、更に２つの画面を水平方向にずらして配置する。
【００３０】
（ｃ）の太線は１６：９のアスペクト比を持つ表示装置１０４の表示枠を表している。又、グレーで塗り潰されている部分は表示装置１０４への表示の際に削除される部分を表している。又、（ｂ）の水平方向へのずらし量は表示画面（ｃ）で削除される部分が最小となるように、回転角度θに対して各々設定される。
【実施例１】
【００３１】
以下、具体的な実施例を挙げて本発明の効果について説明する。
【００３２】
図４〜図６は斜め対面表示のメリットを説明するための図である。
【００３３】
図４〜図６は１つの平置きされた表示装置を複数の視聴者が見ているところを俯瞰した図である。Ａ〜Ｐは視聴者を表し、Ｘは平置きにされた表示装置を表している。表示装置Ｘは４０インチ程度の１６：９のアスペクト比を持つ、平面表示装置を想定している。
【００３４】
視聴者Ａ〜Ｐの図中の矢印は各視聴者の視線の方向を表している。更に、黒い矢印は良好な視聴状態を表し、グレーの矢印はやや困難な視聴状態を表し、白の矢印は視聴困難な状態を表している。
【００３５】
図４では斜め対面表示を実施している。この状態では視聴者Ｃ，Ｄ，Ｅ，Ｋ，Ｌ，Ｍの６人が良好な視聴状態を確保している。
【００３６】
同様に、図５では表示装置の長手方向における水平対面表示を実施している。この状態では視聴者Ｇ，Ｈ，Ｐ，Ｏの４人が良好な視聴状態を確保している。
【００３７】
又、図６では表示装置の短手方向における垂直対面表示を実施している。この状態では視聴者Ｂ，Ｃ，Ｊ，Ｋの4 人が良好な視聴状態を確保している。
【００３８】
このように、斜め対面表示を行うことによって、長手／短手方向による水平／垂直対面表示方法より多くの人に良好な視聴状態を提供することが可能となった。
【図面の簡単な説明】
【００３９】
【図１】本発明の構成例を示した図である。
【図２】画像データの変化を説明した図である。
【図３】画像データの変化を説明した図である。
【図４】斜め対面を説明した図である。
【図５】水平対面を説明した図である。
【図６】垂直対面を説明した図である。
【符号の説明】
【００４０】
１０１  解像度変換装置
１０２  フレームメモリ
１０３  斜め変換装置
１０４  表示装置
Ａ〜Ｏ  視聴者
Ｘ      平面表示装置
【図１】
2006267647.tif 000003
【図２】
2006267647.tif 000004
【図３】
2006267647.tif 000005
【図４】
2006267647.tif 000006
【図５】
2006267647.tif 000007
【図６】
2006267647.tif 000008